(57)【要約】【課題】回転盤を大型化することなく、また、ボスを設けたままで、コインの縦詰まり等を有効に防止できるコイン払出装置を提供する。【解決手段】コイン１３の外径よりも大きな内径をもって貫通した複数のコイン受け孔２３が、中心から等距離の位置に配列された回転盤６と、この回転盤６を回転自在に支持する基盤とを有し、多数のコインを集積したバケット１の底部に設けられた供給口２から、コイン受け孔２３に送り込まれるコイン１３を、一枚ずつ排出するコイン払出装置であって、前記回転盤６の外周部に、この回転盤６の回転軸９と略平行となる内周壁を有する周壁２１を一体的に設ける。【選択図】        図１
2004310408.tif 000002
【特許請求の範囲】
【請求項１】
コインの外径よりも大きな内径をもって貫通した複数のコイン受け孔が、中心から等距離の位置に配列された回転盤と、この回転盤を回転自在に支持する基盤とを有し、多数のコインを集積したバケットの底部に設けられた供給口から、前記コイン受け孔に送り込まれるコインを、一枚ずつ排出するコイン払出装置であって、
前記回転盤の外周部に、この回転盤の回転軸と略平行となる内周壁を有する周壁を一体的に設けたこと
を特徴とするコイン払出装置。
【請求項２】
前記回転盤の周壁は、
その内底面の中心に配置されるボスの高さよりも高く形成されていること
を特徴とする請求項１に記載のコイン払出装置。
【請求項３】
前記回転盤の周壁は、
その内径が、バケットの底部に設けられた供給口の内径よりも小さく形成されたもので、この周壁内径と供給口の内径との差は、コイン１枚分の厚さよりも小さいこと
を特徴とする請求項１又は２に記載のコイン払出装置。
【請求項４】
前記ボスは、
前記回転盤の回転軸と略平行となる外周壁を有し、回転盤の内底面上に一体的に設けられていること
を特徴とする請求項１〜３のいずれかに記載のコイン払出装置。
【請求項５】
前記基盤および回転盤は、
水平面と一定の角度をなし、前記バケットは、前記ボスの軸線上に対し、略直角となるコインガイド板が内周壁に突出形成されるとともに、前記コインガイド板の先端部が、鉛直視において前記回転盤の半径以内に位置するよう形成されていること
を特徴とする請求項１〜４のいずれかに記載のコイン払出装置。
【発明の詳細な説明】
【０００１】
【発明の属する技術分野】
この発明は、各種硬貨の両替機や、遊技場でのスロットマシンやメダル貸出し装置などに使用されるコイン払出装置に関するものである。
【０００２】
【従来の技術】
かかるコイン払出装置は、例えば、図３に示すように、一定の外径を有する円板状のコイン（メダル、トークンを含む）１３を無秩序に多数集積するバケット１の下方に配設され、コイン１３を一枚ずつ下方のトレイ１０に送り出すもの
で、バケット１の底部に形成した供給口２が、下方のコイン払出装置３上に開口する。なお、バケット１は、軸受１４、掛金１５によってコイン払出装置３に着脱自在に結合されるもので、メンテナンス時などに際し、簡単かつ容易に取り外せるように構成されている。
【０００３】
また、バケット１の内壁には、供給口２の上方に向けて、以下に述べる回転盤６に加わるコインの荷重を軽減するための傾斜板２４が突設され、この傾斜板２４の先端は、ボス８を越えて反対側の外周部近傍まで延びている。
【０００４】
このコイン払出装置３は、上面が一定角で傾斜した基台４と、この上面の傾斜面に取り付けられた円形の凹部を有する傾斜基盤５と、この傾斜基盤５の凹部内に回転自在に取り付けられ、かつコイン１３の外径よりも若干大きい内径を有するコイン受け孔２３の複数が形成された回転盤６を主たる構成要素とするものであって、図４で明らかなように、前記回転盤６の外周部には、回転盤６とは別個に製作されたコインガイド用の円筒状のリング１２が、その下縁の一部が回転盤６の外周縁の一部を覆う状態で配置固定され、前記リング１２の上部には、前記バケット１の底部に形成したコイン１３の供給口２が開口している。
【０００５】
また、前記基台４には、駆動源としてモータ７が配設され、回転盤６の中心部に形成したボス８に取り付けた回転軸９に、モータ７の駆動軸がナット１６とカラー１７とで連結されて、モータ７の回転が回転軸９およびボス８を介して回転盤６に伝達される。
【０００６】
このように構成することによって、バケット１内に供給されるコイン１３のほとんどは、傾斜板２４の上に一旦落下し、その後、回転盤６上に落下する。
【０００７】
かかるコイン払出装置３によって、バケット１内のコイン１３をトレイ１０に送り出すには、まず、モータ７を駆動させて回転盤６を回転させ、バケット１に集積されているコイン１３を、傾斜基盤５の面に沿うようにして回転盤６の各コイン受け孔２３に一枚ずつ落とし込み、このコイン受け孔２３に連通した搬出路１１を介して下方のトレイ１０に送り出される。
【０００８】
前記のような送出機構においては、回転盤６に設けられたコイン受け孔２３の直径がコインの直径１３よりも若干大きいため、既にコイン受け孔２３内にコイン１３が落ち込み緩嵌した状態において、別のコイン１３が緩嵌しているコイン１３とリング１２の内周壁との間に挟まり、回転盤６が回転不能になることがしばしばあった。
【０００９】
また、例えば図４に示すように、前記リング１２の内周壁と当接するコイン１３を、一端が傾斜状態でボス８に当接するコインの他端で押圧するような状態が発生した場合、リング１２自体が回転しないため、リング１２と回転盤６との間に大きな摩擦抵抗が発生し、回転盤６に大きな負荷が作用して回転盤６の円滑な回転を妨害し、いわゆる縦詰まりの状態となって、回転盤６が回転不能になることがあった。
【００１０】
かかる不都合を解消するには、コイン受け孔２３の直径をコイン１３とほぼ同一に形成し、緩嵌されるコイン１３と外壁１２との隙間を無くすことも考えられるが、このようにすると、バケット１部分に集積されたコイン１３が回転盤６のコイン受け孔２３内に落ち込みにくくなり、送出効率が低下するという問題が生じる。
【００１１】
さらに、回転盤６に設けられたコイン受け孔２３内に途中まで落ち込んだコイン１３が、回転盤６のコイン送出口にさしかかり、コイン１３が傾斜基盤５に挟まって回転盤６が回転不能になることも多かった。
【００１２】
そこで、例えば特開平７−８５３３３号公報（特許文献１）においては、図５に示すように、コイン１３の立て詰まり等を防止する手段として、回転盤６の外周部を外側に向けて緩やかに上り傾斜する傾斜部１８に形成するとともに、中心のボス２０の外周部も、中心からコイン受け孔２３の方向に向けて緩やかに下り傾斜する傾斜部１９に形成し、コイン１３がコイン受け孔２３内にスムーズに落ち込み、縦詰まりを防止するようにしたホッパー装置が提案されている。
【００１３】
【特許文献１】
特開平  ７−８５３３３号公報（特許請求の範囲、図５）
【００１４】
【発明が解決しようとする課題】
しかしながら、前記特許文献１のように、ボス２０に傾斜部１９を形成してもボス２０の全体は大きく突出しているため、このボス２０の部分が障害となってコイン１３の縦詰まりを完全には防止することが困難であった。
【００１５】
また、コイン縦詰まりの原因となるボス２０を無くせば、根本的な解決となり得るが、回転盤６の強度を確保し、モータ７の駆動軸に固定するためのナット１６、カラー１７を保護するためにボス２０は不可欠で、さらに、傾斜部１８，１９を設けることは、回転盤６の大型化を招く原因ともなる。
【００１６】
さらにまた、図３に示すように傾斜板２４の先端が、回転盤６の中心のボス８を越えて反対側の外周部近傍に位置するということは、回転盤６の全面にコイン１３の荷重が一度に掛かるのを防ぐ点では有効であるが、コイン１３が回転盤６の外周部に集中して縦詰まりを招くことにもなる。
【００１７】
この発明はかかる現状に鑑み、回転盤を大型化することなく、また、ボスを設けたままで、コインの縦詰まり等を有効に防止できるコイン払出装置を提供することを目的としたものである。
【００１８】
【課題を解決するための手段】
前記目的を達成するため、この発明の請求項１に記載の発明は、
コインの外径よりも大きな内径をもって貫通した複数のコイン受け孔が、中心から等距離の位置に配列された回転盤と、この回転盤を回転自在に支持する基盤とを有し、多数のコインを集積したバケットの底部に設けられた供給口から、前記コイン受け孔に送り込まれるコインを、一枚ずつ排出するコイン払出装置であって、
前記回転盤の外周部に、この回転盤の回転軸と略平行となる内周壁を有する周壁を一体的に設けたこと
を特徴とするコイン払出装置である。
【００１９】
この請求項１に記載の発明によれば、回転盤に形成されたコイン受け孔にコインを確実に落とし込むための周壁を、回転盤の外周部に一体的に形成したので、前記したように万一コインが周壁に押圧状態で密着しても、回転盤と共に周壁も回転するため、回転盤に大きな負荷が作用せず、回転盤の回転が妨げられないので、いわゆる縦詰まり状態が発生せず、回転盤が回転不能になることがない。
【００２０】
さらに、従来のコイン払出装置のように、回転盤の外側にコインをコイン受け孔にガイドするガイド用のリングを別個に製作する必要もなく、構造を簡略化させることができ、組み立て作業も容易になるので、生産効率を向上させることが可能となる。
【００２１】
また、この発明の請求項２に記載の発明は、
請求項１に記載のコイン払出装置において、
前記回転盤の周壁は、
その内底面の中心に配置されるボスの高さよりも高く形成されていること
を特徴とするものである。
【００２２】
請求項２に記載の発明によれば、回転盤の外周部に形成する周壁の高さを、回転盤の内底面の中心部に形成されるボスの高さよりも高く形成するので、基盤の傾斜に沿って落ち込むコインが中心のボスに引っ掛かることがなく、これが原因のコインの縦詰まりが発生することを防止できる。
【００２３】
また、この発明の請求項３に記載の発明は、
請求項１又は２に記載のコイン払出装置において、
前記回転盤の周壁は、
その内径が、バケットの底部に設けられた供給口の内径よりも小さく形成されたもので、この周壁内径と供給口の内径との差は、コイン１枚分の厚さよりも小さいこと
を特徴とするものである。
【００２４】
請求項３記載のこの発明によれば、回転盤の外周部に設ける周壁の内径は、バケットの底部に設けられた供給口の内径よりも小さく形成するとともに、周壁の内径と供給口の内径との差は、コイン１枚分の厚さよりも小さく、かつ片側で考えると、一枚分の厚さの半分となるよう形成したから、バケットから回転盤上に落下するコインが、回転盤の外周の周壁に支えたり、乗っかることがなく、回転盤上にスムーズに落下し、しかも供給口と回転盤間に詰まることがない。
【００２５】
さらに、この発明の請求項４に記載の発明は、
請求項１〜３のいずれかに記載のコイン払出装置において、
前記ボスは、
前記回転盤の回転軸と略平行となる外周壁を有し、回転盤の内底面上に一体的に設けられていること
を特徴とするものである。
【００２６】
請求項４に記載の発明によれば、回転盤の内底面と直交する外周面を有するボスが一体的に配置されているので、バケットから回転盤に落ち込むコインが、ボスに引っ掛かることなく、コインが斜め状態でコイン受け孔に送られることがなく、スムーズにコイン受け孔に供給することができる。
【００２７】
さらにまた、この発明の請求項５に記載の発明は、
請求項１〜４のいずれかに記載のコイン払出装置において、
前記基盤および回転盤は、
水平面と一定の角度をなし、前記バケットは、前記ボスの軸線上に対し、略直角となるコインガイド板が内周壁に突出形成されるとともに、前記コインガイド板の先端部が、鉛直視において前記回転盤の半径以内に位置するよう形成されていること
を特徴とするものである。
【００２８】
請求項５に記載の発明によれば、前記基盤および回転盤は、水平面と一定の角度をなし、前記バケットは、その内周壁に突出形成するコインガイド板を、ボスの軸線上に対し直角に交差するよう配置するとともに、先端部がボスを越えることがなく、回転盤の半径以内に位置するようにしたので、コインガイド板の下部に一定のコインが入り込まない空隙部を形成するため、回転盤の全面に一度にコインの荷重が作用せず、小さな動力で回転盤を円滑に回転させることができる。
【００２９】
【発明の実施の形態】
以下、図面に基づいて、この発明にかかるコイン払出装置の実施の形態を詳細に説明するに、図１は、この発明のコイン払出装置の一実施形態における要部の拡大断面図、図２は、要部を構成する部材の関係を示す説明図で、図３、図４に示した従来例と同一の構成要素には、同一の参照符号を付してある。なお、コイン払出装置の全体構造は、図３について既に説明したとおりであるから、ここでの詳細な説明は省略する。
【００３０】
この発明のコイン払出装置３も、一定の外径のコイン（メダル、トークンを含む）１３を、無秩序に多数集積するバケット１の下方に配設され、コイン１３を一枚ずつ下方のトレイ１０に送り出すもので、バケット１の底部に形成した供給口２が下方のコイン払出装置３に開口している。
【００３１】
また、バケット１の内周壁には、投入されたコインを供給口２の上方に向けてガイドするとともに、回転盤６の全面にコインの荷重が一度に作用させないためのコインガイド板２２が突設され、このコインガイド板２２は、回転盤６に設けられたボスの軸線と直交する状態で配置され、その長さは、先端部が回転盤６の半径以内に位置する長さに設定されている。
【００３２】
このコイン払出装置３は、図３に示した従来例と同様に、上面が一定角で傾斜した基台４と、この上面の傾斜面に取り付けられた円形の凹部を有する傾斜基盤５と、この傾斜基盤５の凹部内に回転自在に取り付けられた回転盤６とを主たる構成要素とするもので、前記回転盤６の上部にバケット１の底部に形成したコイン１３の供給口２が開口し、回転盤６には、コイン１３の外径よりも若干大きい内径を有する複数のコイン受け孔２３が形成されている。
【００３３】
なお、回転盤６の下面には、コイン受け孔２３の外周の一部に沿って円弧状に周壁が垂設され、コイン受け孔２３から排出されたコイン１３を、回転盤６の回転方向にスムーズに送り出す作用を行う。
【００３４】
さらに、前記基台４には、駆動源としてモータ７が配設され、回転盤６の中心部に形成したボス８に取り付けた回転軸９に、モータ７の駆動軸がボルト１６とナット１７とで連結されて、モータ７の回転が回転軸９およびボス８を介して回転盤６に伝達されるよう構成されている。
【００３５】
この発明は、かかるコイン払出装置３において、前記回転盤６には、その外周縁に沿って内底面と直交する内周壁を有する周壁２１が一体的に形成されたものである。また、この周壁２１の内径Ｃは、図２に示すように、バケット１の下部に底部に設けられた供給口２の内径Ｄよりも小さく形成されるとともに、周壁２１の内径Ｃと供給口２の内径Ｄとの差は、コイン１枚分の厚さよりも小さく、かつ片側（周壁２１と供給口２の相対位置のズレ分）で考えると、１枚分の厚さの半分以下となるよう形成され、周壁２１の上端を供給口２の下端に臨ませるもので、周壁２１の高さＡは、回転盤６の中心部に形成されるボス８の高さＢよりも少しだけ高く形成されている。
【００３６】
以上のように構成されたコイン払出装置３の、バケット１内にコイン１３を投入すると、コイン１３はコインガイド板２２上に落下してから、回転盤６上に順次落下するが、その際、コインガイド板２２の先端は、中央のボス８より回転盤６の下方側、かつ回転盤６の半径以内の上方に位置しているから、コイン１３は回転盤６の全面に一度に落下することがない。さらに、コインガイド板２２の下部とバケット１の内周壁間に、コインが入り込まない一定の空隙部を形成するため、回転盤６の全面にコインの荷重が一度に作用せず、小さな動力で回転盤を円滑に回転させることができる。
【００３７】
また、バケット１に集積されているコイン１３をトレイ１０に送出するには、従来と同様にして、モータ７を回転させれば、回転盤６が回転し、コイン１３が傾斜基盤５の面に沿うようにして回転盤６の各コイン受け孔２３に一枚ずつ落ち込み、このコイン受け孔２３と連通する搬出路１１を介して、下方のトレイ１０に送り出される。
【００３８】
この場合、バケット１から回転盤６の上に落下するコイン１３は、供給口２の内径Ｄの方が、周壁２１の内径Ｃよりも、コイン１枚分の厚さ以下の範囲で大きく形成されているので、コイン１３は周壁２１に支えることなく、スムーズに供給口２から周壁２１の内側に沿って回転盤６上に落下する。
【００３９】
さらに、バケット１から回転盤６上に落とし込まれたコイン１３は、内底面の中心に配されたボス８の高さＢの方が、周壁２１の高さＡよりも低く形成されているので、コイン１３は、周壁２１に沿って回転盤６上に落とし込まれたのち、傾斜基盤５の傾斜に沿って、ボス８の上を滑るようにしてコイン受け孔２３に落とし込まれ、また、ボス８の外周壁は回転盤６に垂直に設けられているので、コイン１３が斜めの状態でコイン受け孔２３に送られることがなくなるため、コイン１３がコイン受け孔２３で詰まるおそれがない。
【００４０】
【発明の効果】
この発明のコイン払出装置は、回転盤に形成されたコイン受け孔にコインを円滑に落とし込むため、回転盤の外周部に内底面と直交する内周壁を有する周壁を一体的に形成したので、コインをコイン受け孔にスムーズに落とし込むことができ、コインをガイドする周壁が回転盤を一体で回転するので、従来のように回転しない周壁と回転する回転盤との間で発生した、摩擦抵抗による過大な負荷が回転盤に生ずるおそれがなく、これに起因するコイン詰まり現象を確実に防止できる。
【００４１】
また、この発明のコイン払出装置において、前記周壁の高さを、回転盤の内底面の中心に配されるボスの高さより少し高く設定し、また、その内径をバケットの下部に底部に設けられた供給口の内径よりも、コイン１枚分の厚さ以下の範囲内で小さく形成し、さらに、回転盤の内底面上にボスの外周部を垂直に設けることなどによって、コインをスムーズにコイン受け孔に供給することができる。
【００４２】
さらに、コイン払出装置を構成するバケット内に、回転盤に設けられたボスの軸線と直交する状態で、しかもその先端部が回転盤の半径以内に位置するようにしてコインガイド板を突設することによって、回転盤の全面にコインの荷重が一度に作用せず、小さな動力で回転盤を円滑に回転させることができる。
【図面の簡単な説明】
【図１】この発明のコイン払出装置の一実施形態における要部の拡大断面図である。
【図２】コイン払出装置を構成する部材の関係を示す説明図である。
【図３】コイン払出装置の概略説明図である。
【図４】従来のコイン払出装置の一例を示す要部の断面図である。
【図５】従来のコイン払出装置の他の例を示す要部の断面図である。
【符号の説明】
１        バケット
２        バケットの供給口
３        コイン払出装置
４        基台
５        傾斜基盤
６        回転盤
７        モータ
８        ボス
９        回転軸
１０      トレイ
１３      コイン
２１      回転盤の周壁
２２      コインガイド板
２３      コイン受け孔
【図１】
2004310408.tif 000003
【図２】
2004310408.tif 000004
【図３】
2004310408.tif 000005
【図４】
2004310408.tif 000006
【図５】
2004310408.tif 000007